(57)【要約】【課題】箱体の底面や上面で内側に折り込まれる内フラップの折線と外側に折り重ねられる外フラップの折線の高さを違わせた包装用箱であっも、或る程度の耐圧縮荷重性を得ることを可能とする。【解決手段】箱体の上面側では、前記上外フラップ６、６の折線１１、１１より上内フラップ７、７の折線１２、１２を低く形成し、さらに、上外フラップ６、６の折線１１、１１より下側に、他の部分より折り曲げ強度を弱くした弱抗折部１３、１３を形成した。また、箱体の底面側では、前記底外フラップ４、４の折線８、８より底内フラップ５、５の折線９、９を高く形成し、さらに、底外フラップ４、４の折線８、８より上側に、他の部分より折り曲げ強度を弱くした弱抗折部１０、１０を形成した。【選択図】      図１
2005014969.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）の上辺の折線（１１）、（１１）から上外フラップ（６）、（６）が延設され、端パネル（２）、（２）の上辺の折線（１２）、（１２）から上内フラップ（７）、（７）が延設され、上内フラップ（７）、（７）を箱の内側に折り曲げた後、その外側に上外フラップ（６）、（６）を折り曲げて重ねて箱の上面を閉じる包装用箱において、前記上外フラップ（６）、（６）の折線（１１）、（１１）より上内フラップ（７）、（７）の折線（１２）、（１２）を低く形成し、さらに、上外フラップ（６）、（６）の折線（１１）、（１１）より下側に、他の部分より折り曲げ強度を弱くした弱抗折部（１３）、（１３）を形成したことを特徴とする包装用箱。
【請求項２】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）の下辺の折線（８）、（８）から底外フラップ（４）、（４）が延設され、端パネル（２）、（２）の下辺の折線（９）、（９）から底内フラップ（５）、（５）が延設され、底内フラップ（５）、（５）を箱の内側に折り曲げた後、その外側に底外フラップ（４）、（４）を折り曲げて重ねて箱の底面を閉じる包装用箱において、前記底外フラップ（４）、（４）の折線（８）、（８）より底内フラップ（５）、（５）の折線（９）、（９）を高く形成し、さらに、底外フラップ（４）、（４）の折線（８）、（８）より上側に、他の部分より折り曲げ強度を弱くした弱抗折部（１０）、（１０）を形成したことを特徴とする包装用箱。
【請求項３】
折線（８）、（８）、（１１）、（１１）に沿って段ボール板であるブランクの中芯が溝状に潰され、弱抗折部（１０）、（１０）、（１３）、（１３）は、この折線（８）、（８）、（１１）、（１１）の部分より浅く中芯を潰すことにより形成されていることを特徴とする請求項１または２に記載の包装用箱。
【請求項４】
弱抗折部（１０）、（１０）、（１３）、（１３）の高さ（Ｄ）を、上外フラップ（６）、（６）の折線（１１）、（１１）と上内フラップ（７）、（７）の折線（１２）、（１２）とのずれ（ｏ）以上とし、或いは底外フラップ（４）、（４）の折線（８）、（８）と底内フラップ（５）、（５）の折線（９）、（９）とのずれ（ｏ）以上としたことを特徴とする請求項１〜３の何れかに記載の包装用箱。
【発明の詳細な説明】
【０００１】
【発明の属する技術分野】
本発明は、段ボール板等のブランクを折り曲げて作る箱状の包装用箱に関し、特にブランクを縦に平行な４本の折れ線で同じ方向に順次折り曲げ、その両端縁を接合して四角筒状の胴部を形成し、この胴部の上辺から延設した上フラップを内側に折り曲げて箱の上面を閉じる形式の包装用箱に関する。
【０００２】
【従来の技術】
従来最も一般的な包装容器の一つとして、段ボール板等のブランクを折り曲げて作る箱状の包装用箱がある。例えば、対向する一対の側面を構成する側パネルと、箱の対向する一対の端面を構成する端パネルとが折線を介して交互に連なり、最も端の側パネルと端パネルの側辺が互いに接合され、四角筒状の胴部が形成される。さらに、側パネルと端パネルの下辺の折線から底外フラップと底内フラップがそれぞれ延設されており、底内フラップを箱の内側に折り曲げた後、その外側に底外フラップを折り曲げて重ねて箱の底面が閉じられる。また、側パネルと端パネルの上辺の折線から上外フラップと上内フラップがそれぞれ延設されており、上内フラップを箱の内側に折り曲げた後、その外側に上外フラップを折り曲げて重ねて箱の上面が閉じられる。
【０００３】
このような包装用箱では、底内フラップと底外フラップ、或いは上内フラップと上外フラップの折線の高さが同じものが一般的である。しかし、このように内側に折り込まれるフラップと外側に折り重ねられるフラップの折線が同じ高さの場合、外側に折り重ねられるフラップが内側に折り込まれるフラップによる押し上げられ、箱体の固定前の上面や底面が開いてしまう。特に、厚みのある段ボール板を使用したものでは、その問題が顕著である。
【０００４】
そこで、例えば箱体の上面側を例にとると、上外フラップの折線を上内フラップの折線より段ボール板の厚さ程度高くした箱が使用されている。このような箱体では、箱体の内側に折り曲げられたときの上外フラップの下面の高さが、先に箱体の内側に折り曲げられた上内フラップの上面とほぼ等しくなるため、上内フラップによる上外フラップの押し上げが起こらない。そのため、箱体として組み立てたときに体裁が良く、封緘したときの気密性も高くなる。
【０００５】
【発明が解決しようとしている課題】
底内フラップと底外フラップの折線や上内フラップと上外フラップの折線の高さが同じ一般的な箱体では、箱体を圧縮する方向の荷重に対して、内フラップと外フラップをそれぞれ介して端パネルと側パネルが同時に荷重を受ける。これに対し、前記のように内フラップと外フラップの折線の高さを違わせた場合、前記のような荷重に対しては、最初に外側に折り重ねられた外フラップを介して側パネルのみが荷重を受け、側パネルが座屈した後に、内側に折り込まれた内フラップを介して端パネルが荷重を受けることになる。このため、後者の箱体は全体として箱体を圧縮する方向の荷重に対して弱く、一般の箱の１／２程度の耐荷重性した発揮できない。そのため、許容される積み重ね段数が限られる。
【０００６】
本発明は、前述したように、箱体の底面や上面で内側に折り込まれる内フラップの折線と外側に折り重ねられる外フラップの折線の高さを違わせた包装用箱の耐圧縮荷重が低い課題に鑑み、そのような包装用箱であっも、内フラップの折線と外フラップの折線の高さが同じ一般的な包装用箱と同等の耐圧縮荷重性を得ることを可能としたものである。
【０００７】
【課題を解決するための手段】
本発明では、前記の目的を達成するため、例えば箱体の上面を例にとると、上内フラップ７、７の折線１２、１２を上外フラップ６、６の折線１１、１１より段ボール板の厚さ程度低くした箱体とする。これに加え、圧縮荷重がかかったとき、箱体の上面の内側に折り込まれる上内フラップ７、７とにその上に折り重ねられる上外フラップ６、６とをそれぞれ介して端パネル２、２と側パネル１、１とに同時に圧縮荷重を受けるように、上外フラップ６、６の折線１１、１１より下側に他の部分より折り曲げ強度を弱くした弱抗折部１３、１３を形成した。
【０００８】
より具体的に説明すると、本発明が適用される包装用箱は、対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１の上辺の折線１１、１１から上外フラップ６、６が延設され、端パネル２、２の上辺の折線１２、１２から上内フラップ７、７が延設され、上内フラップ７、７を箱の内側に折り曲げた後、その外側に上外フラップ６、６を折り曲げて重ねて箱の上面を閉じる形式のものである。
【０００９】
本発明では、このような包装用箱において、例えば箱体の上面側では、前記上外フラップ６、６の折線１１、１１より上内フラップ７、７の折線１２、１２を低く形成し、さらに、上外フラップ６、６の折線１１、１１より下側に、他の部分より折り曲げ強度を弱くした弱抗折部１３、１３を形成したものである。
【００１０】
また、箱体の底面側では、前記底外フラップ４、４の折線８、８より底内フラップ５、５の折線９、９を高く形成し、さらに、底外フラップ４、４の折線８、８より上側に、他の部分より折り曲げ強度を弱くした弱抗折部１０、１０を形成したものである。
【００１１】
このような包装用箱では、例えば箱体の上面を例にとると、箱体の高さ方向に圧縮荷重がかかったとき、他の部分より折り曲げ強度を弱くした弱抗折部１３、１３が先に折れる。このため、上外フラップ６、６に加わる荷重が箱体の上面の内側に折り込まれた上内フラップ７、７の上に加わる。従って、側パネル１、１と端パネル２、２とで同時に圧縮荷重を受けることになる。このため、耐圧縮荷重性の高い包装用箱が得られる。
【００１２】
折線８、８、１１、１１に沿って段ボール板であるブランクの中芯が溝状に潰され、弱抗折部１０、１０、１３、１３は、この折線８、８、１１、１１の部分より浅く中芯を潰すことにより形成される。こうすることにより、弱抗折部１０、１０、１３、１３は、折線８、８、１１、１１の部分よりは折れにくいが、折線８、８、１１、１１以外の部分よりは折り曲げ強度が弱く、折れやすくなる。これにより、弱抗折部１０、１０、１３、１３は、箱体に圧縮荷重がかかったときのみに撓むことになり、その所期の作用を奏することが出来る。
【００１３】
箱体が圧縮荷重がかかったとき、端パネル２、２と側パネル１、１とに同時に圧縮荷重を受けるのを確実にするためには、弱抗折部１３、１３の高さＤは、上外フラップ６、６の折線１１、１１と上内フラップ７、７の折線１２、１２とのずれｏ以上とするのがよい。これは箱体の底面側でも同様で、弱抗折部１０、１０の高さＤは、底外フラップ４、４の折線８、８と底内フラップ５、５の折線９、９とのずれｏ以上とするのがよい。
【００１４】
【発明の実施の形態】
次に、図面を参照しながら、本発明の実施の形態について、具体的且つ詳細に説明する。
図１は、本発明の一実施形態による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００１５】
図１に示す包装用箱のブランクでは、矩形の側パネル１、１と端パネル２、２とが折れ線を介して交互に連なっている。２つの側パネル１、１と端パネル２、２の幅（図１において左右の寸法、以下同じ）はそれぞれ等しく、側パネル１、１と端パネル２、２とでは幅は異なっている。側パネル１、１と端パネル２、２の高さ（図１において上下の寸法、以下同じ）と幅は、その用途や収納物の大きさ等に応じて異なることは言うまでもない。
【００１６】
端にある側パネル１の側辺からは、折れ線を介して接合フラップ３が延設されており、端にある端パネル２には、そのような接合フラップは延設されていない。
側パネル１、１の下辺の折線８、８からは、底外フラップ４、４が延設されている。この底外フラップ４、４の幅は、側パネル１、１の幅より若干狭い。また、端パネル２、２の下辺の折れ線９、９からは底内フラップ５、５が延設されている。この底内フラップ５、５の幅は、端パネル２、２の幅より若干狭い。これらの隣接する底内フラップ５、５と前記底外フラップ４、４との間は、スリット状の切り込みとなっている。
【００１７】
側パネル１、１の上辺の折線１１、１１からは、上外フラップ６、６が延設されている。この上外フラップ６、６の幅は、側パネル１、１の幅より若干狭い。また、端パネル２、２の上辺の折線１２、１２からは、上内フラップ７、７が延設されている。この上内フラップ７、７の幅は、端パネル２、２の幅より若干狭い。この上内フラップ７、７と前記上外フラップ６、６との間は、スリット状の切り込みとなっている。
【００１８】
側パネル１、１の高さは、その下辺の底外フラップ４、４との折線８、８とその上辺の上外フラップ６、６との折線１１、１１との間の寸法である。また、端パネル２、２の高さは、その下辺の底内フラップ５、５との折線１２、１２とその上辺の上内フラップ７、７との折線９、９との間の寸法である。
【００１９】
ここで、前記側パネル１、１の高さは、端パネル２、２の高さより若干高く設定されている。具体的には、側パネル１、１の底外フラップ４、４側の折線８、８は、端パネル２、２の底内フラップ５、５側の折線９、９より寸法ｏだけ下方（図１において下方向）にずれている。また、側パネル１、１の上外フラップ６、６側の折線１１、１１は、端パネル２、２の上内フラップ７、７側の折線１２、１２より寸法ｏだけ上方（図１において上方向）にずれている。このずれ寸法ｏは、通常３ｍｍとられる。
【００２０】
さらに、側パネル１、１の前記底外フラップ４、４との折線８、８の上側には、図１においてハッチングで示すように、帯状に他の部分より折り曲げ強度を弱くした弱抗折部１０、１０を形成している。同様にして側パネル１、１の前記上外フラップ６、６との折線１１、１１の下側にも、図１においてハッチングで示すように、帯状に他の部分より折り曲げ強度を弱くした弱抗折部１３、１３を形成している。
【００２１】
図２（ａ）、（ｂ）は、それぞれ側パネル１と端パネル２の上側の折線１１、１２付近を、それら折線１１、１２と直交する方向に断面した図である。図において上側が箱体の内側となる。
折線１１、１２の部分には、箱体の内側に段ボール板の中芯が潰されることによって、凹状の溝が入れられ、折れやすくしているのが通常である。側パネル１と端パネル２の上側の折線１１、１２のずれ寸法はｏで示してあり、この寸法ｏは前述した通り、３ｍｍが一般的である。
【００２２】
側パネル１、１の上側の折線１１、すなわち上外フラップ６との折線１１の下側に他の部分より折り曲げ強度を弱くした弱抗折部１３を形成しているが、この図２（ａ）では、この弱抗折部１３としてブランクを構成する段ボール板の中芯を若干潰して形成している。弱抗折部１３としてはその他に、段ボール板のその部分の、いわゆるコシを弱くするような油脂類を含浸させる等の手段をあげることが出来るが、前述のようにして段ボール板の中芯を若干潰すのが最も簡便で容易である。
【００２３】
弱抗折部１３の幅Ｄは、前記側パネル１と端パネル２の上側の折線１１、１２のずれ寸法ｏ以上、すなわちＤ≧ｏとする。例えばｏ＝３ｍｍの場合、Ｄ＝３〜１０ｍｍとし、特に最適な寸法は、Ｄ＝４〜６ｍｍである。
図３（ａ）は、折線１１の溝を入れるのと同時に、折線１１の下側の段ボールの中芯を潰して弱抗折部１３を形成する工程の例を示す。折線の部分の中芯を潰して溝を入れる罫線型刃１６と、段ボールの中芯を幅Ｄにわたって押し潰す押圧型刃１７とを有する型刃１５により、段ボール板の内面を押圧し、折線１１と弱抗折部１３の部分の中芯を同時に潰す。押圧型刃１７の押圧面１８は罫線型刃１６の下端より若干高く、従って弱抗折部１３では、折線１１の溝より浅く段ボール板の中芯が潰される。また、この図３（ａ）では、押圧型刃１７の押圧面１８が罫線型刃１６側からそれと反対側の面にいくに従って高くなるような勾配が形成され、弱抗折部１３はこの勾配にほぼ倣って折線１１から離れるに従って浅く潰される。
【００２４】
図２（ａ’）は、側パネル１の上側の折線１１と、その下側に形成される弱抗折部１３の他の形状を示す図であり、図２（ａ）と同じ部分を断面して示している。また、図３（ａ’）は、図２（ａ’）に示す折線１１の溝と弱抗折部１３を形成する工程の例を示す。
【００２５】
この例では、図３（ａ）により前述したような押圧型刃１７の押圧面１８の勾配は形成されておらず、弱抗折部１３の押圧面１８はその全幅にわたって段ボール板の中芯が概ね均等に潰される。押圧型刃１７が罫線型刃１６より若干後退しており、弱抗折部１３において折線１１の溝より浅く段ボール板の中芯が潰されるのは前述の例と同様である。
【００２６】
側パネル１、１の下側の折線８、８、すなわち側パネル１、１の底外フラップ４、４との折線８、８側の弱抗折部１０、１０は、前述した上側の折線１１、１１側の弱抗折部１３、１３と上下対称になるだけで、その他の構成は全く同様である。すなわち、図２（ａ）、（ｂ）において上下が逆になるだけであるので、説明は省略する。
【００２７】
このようなブランクから包装用箱は次のようにして組み立てられる。
まず、側パネル１、１、端パネル２、２及び接合フラップ３の間にある折線を何れも９０゜の角度で同じ方向に折り曲げる。さらに、接合フラップ３の外側面に糊を塗布し、この接合フラップ３の外側面を端パネル２の端縁部の内面に貼り付ける。これにより、側パネル１、１と端パネル２、２とで四角筒状の胴部が形成される。
【００２８】
次に、このようにして側パネル１、１と端パネル２、２とで四角筒状の胴部が形成された後、箱の底面を閉じる。箱体の底面を上向きにした状態、つまり箱体の上下を逆にした状態で、底内フラップ５、５を箱の底面側に約９０゜の角度で折り曲げる。次に、底外フラップ４、４を箱の底面側に約９０゜の角度で折り曲げ、その両側部分を底内フラップ５、５の上に重ねる。その後、それらの底内フラップ５、５、底外フラップ４、４をステープル、接着剤、粘着テープ等で固定する。
【００２９】
次に箱を反転してその上面側を上に向ける。この状態で、開いた箱の上面から収納物を収納する。次に、箱の上面を閉じる。
まず図４に示すようにして、上内フラップ７、７を箱の上面側に約９０゜の角度で折り曲げる。次に、図５に示すように、上外フラップ６、６を箱の上面側に約９０゜の角度で折り曲げ、その両側部分を上内フラップ７、７の上に重ねる。その後、それらの上内フラップ７、７、上外フラップ６、６をステープル、接着剤、粘着テープ等で固定し、封緘する。
【００３０】
このような状態では、例えば箱体の上面側において、上外フラップ６、６が上内フラップ７、７の折線１２、１２より寸法ｏだけ高い位置にある折線１１、１１で折られているため、これら上内フラップ７、７と上外フラップ６、６を前述のようにして順次折り曲げて箱体の上面を閉じたとき、上外フラップ６、６が上内フラップ７、７によって押し上げられない。このため、箱体として組み立てたときに体裁が良く、封緘したときの気密性に優れる。
【００３１】
他方、上側に重ねられる上外フラップ６、６の折線１１、１１より下の部分に、幅Ｄにわたってブランクの他の部分より折り曲げ強度を弱くした弱抗折部１３、１３が設けられている。このため、箱体の高さ方向に圧縮荷重がかかったとき、この弱抗折部１３、１３が端パネル２、２より先に変形し、上外フラップ６、６と上内フラップ７、７とが完全に重なり合う。従って、圧縮荷重は、端パネル２、２のみならず、側パネル１、１と端パネル２、２の双方が同時に圧縮荷重を受ける。このため、耐圧縮荷重性の高い包装用箱が得られる。本件発明者らの試作した前述のような包装用箱では、内フラップの折線と外フラップの折線の高さが同じ一般的な包装用箱と同等の耐圧縮荷重性を得ることが出来た。
なお、箱体の底面側では、圧縮荷重に抗する方向が箱体の上面側と上下逆になるだけで、その作用は全く同じである。
【００３２】
なお、、前述の説明では、「側パネル」や「端パネル」のように、６面体の箱の側面と端面を使い分ける用語を使用したが、箱の側面と端面とは相対的な位置関係を示す用語で、対向する或る一対の縦の面を側面とすれば、それらの面と直交する対向する他の一対の縦の面が端面となるのに過ぎない。平面が正方形の箱体の場合を考えると明らかなように、立法体形の箱における側面と端面とは、対抗した一対ずつの縦の面を区別するのに意味があるのに過ぎない。
【００３３】
【発明の効果】
以上説明した通り、本発明による包装用箱では、箱体の底面や上面で内側に折り込まれる内フラップの折線と外側に折り重ねられる外フラップの折線の高さを違わせた包装用箱として、箱体として組み立てたときに体裁が良く、封緘したときの気密性に優れる包装用箱が得られる。しかも、この種の包装用箱の欠点である圧縮荷重に弱いという欠点が克服され、多くの段数を積み重ねることが出来る等、搬送効率、保管効率に優れた包装用箱が得られる。
【図面の簡単な説明】
【図１】本発明による包装用箱の一実施形態を示すもので、包装用箱を組み立てるため段ボール等を裁断し、折れ線を入れた状態のブランクの展開図である。
【図２】図１のＡ−Ａ線断面図とＢ−Ｂ線断面図、及び変形を加えたＡ−Ａ線断面図を示す要部拡大断面図である。
【図３】図１のＡ−Ａ線断面図と変形を加えたＡ−Ａ線断面図の部分において、罫線型刃で段ボール板の中芯を示す工程を示す要部拡大断面図である。
【図４】前記包装容器の実施形態において、箱の上面を閉じるため、双方の上内フラップを箱の上面側に倒した状態の上面側から見た斜視図である。
【図５】同包装容器の実施形態において、図４の状態からさらに一方の上外フラップを箱の上面側に倒した状態の上面側から見た斜視図である。
【符号の説明】
１    側パネル
２    端パネル
４    底外フラップ
５    底内フラップ
６    上外フラップ
７    上内フラップ
８    底外フラップの折線
９    底内フラップの折線
１０  底側の弱抗折部
１１  上外フラップの折線
１２  上内フラップの折線
１３  上側の弱抗折部
Ｄ    弱抗折部の高
ｏ    上外フラップと上内フラップの折線のずれ
【図１】
2005014969.tif 000003
【図２】
2005014969.tif 000004
【図３】
2005014969.tif 000005
【図４】
2005014969.tif 000006
【図５】
2005014969.tif 000007